(57)【要約】【課題】横エッジ画像の動きが垂直方向に±０．５ラインの場合についても適切な補間信号を生成して画質を向上させる。【解決手段】順次走査変換装置は、現フィールド信号、１フィールド遅延信号および１フィールド後信号を用いて第１の動きベクトルを検出し、１フィールド遅延信号または１フィールド後信号を用いて現フィールド信号についての動き方向性を判定する動き方向性判定を行い、２フィールド遅延信号および２フィールド後信号を用いて動きベクトルを検出し、動き方向性判定より判定される動き方向性と同じ方向性を備えた第２の動きベクトルを出力し、第１の動きベクトルと第２の動きベクトルに応じて現フィールド信号に補間される補間信号を生成する。【選択図】図１
2009239713.tif 000002
【特許請求の範囲】
【請求項１】
入力映像信号の現フィールド信号、前記現フィールド信号よりも１フィールド前の１フィールド遅延信号および前記現フィールド信号よりも１フィールド後の１フィールド後信号を用いて第１の動きベクトルを検出する第１の動きベクトル検出手段と、
前記１フィールド遅延信号または前記１フィールド後信号を用いて前記現フィールド信号についての動き方向性を判定する動き方向性判定手段と、
前記１フィールド遅延信号よりも１フィールド前の２フィールド遅延信号および前記１フィールド後信号よりも１フィールド後の２フィールド後信号を用いて動きベクトルを検出し、前記動き方向性判定手段により判定される前記動き方向性と同じ方向性を備えた第２の動きベクトルを出力する第２の動きベクトル検出手段と、
前記第１の動きベクトル検出手段と前記第２の動きベクトル検出手段の検出結果に応じて前記現フィールド信号に補間される補間信号を生成する補間信号生成手段とを有することを特徴とする順次走査変換装置。
【請求項２】
前記動き方向性判定手段は、前記現フィールド信号と前記１フィールド遅延信号を用いたフィールド間の動きベクトルまたは前記現フィールド信号と前記１フィールド後信号を用いたフィールド間の動きベクトルから前記動き方向性を判定することを特徴とする請求項１記載の順次走査変換装置。
【請求項３】
フィールド内補間により前記現フィールド信号に補間されるフィールド内補間信号を生成するフィールド内補間信号生成手段と、
前記補間信号と前記フィールド内補間信号とを混合して動画系補間信号を生成する動画系補間信号混合手段とを更に有することを特徴とする請求項１記載の順次走査変換装置。
【請求項４】
前記１フィールド後信号または前記１フィールド遅延信号から前記現フィールド信号に補間される静画系補間信号を生成する静画系補間信号生成手段と、
前記動画系補間信号および前記静画系補間信号を混合して混合補間信号を生成する補間信号混合手段とを更に有することを特徴とする請求項３記載の順次走査変換装置。
【請求項５】
入力映像信号の現フィールド信号、前記現フィールド信号よりも１フィールド前の１フィールド遅延信号および前記現フィールド信号よりも１フィールド後の１フィールド後信号を用いて第１の動きベクトルを検出する第１の動きベクトル検出を行い、
前記１フィールド遅延信号または前記１フィールド後信号を用いて前記現フィールド信号についての動き方向性を判定する動き方向性判定を行い、
前記１フィールド遅延信号よりも１フィールド前の２フィールド遅延信号および前記１フィールド後信号よりも１フィールド後の２フィールド後信号を用いて動きベクトルを検出し、前記動き方向性判定により判定される前記動き方向性と同じ方向性を備えた第２の動きベクトルを出力する第２の動きベクトル検出を行い、
前記第１の動きベクトル検出と前記第２の動きベクトル検出の検出結果を用いて前記現フィールド信号に補間される補間信号を生成する補間信号生成を行うことを特徴とする順次走査変換方法。
【請求項６】
順次走査変換信号を出力する順次走査変換手段と、該順次走査変換手段から出力される順次走査変換信号を用いて映像を表示する映像表示手段とを有する映像表示装置であって、
前記順次走査変換手段は、入力映像信号の現フィールド信号、前記現フィールド信号よりも１フィールド前の１フィールド遅延信号および前記現フィールド信号よりも１フィールド後の１フィールド後信号を用いて第１の動きベクトルを検出する第１の動きベクトル検出手段と、
前記１フィールド遅延信号または前記１フィールド後信号を用いて前記現フィールド信号についての動き方向性を判定する動き方向性判定手段と、
前記１フィールド遅延信号よりも１フィールド前の２フィールド遅延信号および前記１フィールド後信号よりも１フィールド後の２フィールド後信号を用いて動きベクトルを検出し、前記動き方向性判定手段により判定される前記動き方向性と同じ方向性を備えた第２の動きベクトルを出力する第２の動きベクトル検出手段と、
前記第１の動きベクトル検出手段と前記第２の動きベクトル検出手段の検出結果に応じて前記現フィールド信号に補間される補間信号を生成する補間信号生成手段とを有することを特徴とする映像表示装置。
【発明の詳細な説明】
【技術分野】
【０００１】
本発明は、飛越し走査方式の映像信号を順次走査方式の映像信号に変換する順次走査変換装置および順次走査変換方法並びに順次走査変換装置を備えた映像表示装置に関する。
【背景技術】
【０００２】
従来、飛越し走査方式の映像信号を順次走査方式の映像信号に変換する順次走査変換装置では、動画部分での画質劣化を防止するため、画像の動きを検出し、この検出結果に基づき、走査線を補間するための補間信号を生成している。
【０００３】
走査線を補間する方法として、動きベクトルの検出を適用して走査線を補間する技術が知られている。こうした順次走査変換における補間信号の生成技術に関して、例えば、特許文献１に開示されている動きベクトル検出方法や、特許文献２に開示されている順次走査変換装置が知られている。
【特許文献１】特開平７−３２７２０９号公報
【特許文献２】特開２００３−１９９０５５号公報
【発明の開示】
【発明が解決しようとする課題】
【０００４】
しかしながら、前述した従来技術では、境界部分が水平方向に現れる横エッジ画像については、その横エッジ画像の動きが垂直方向に２ｎライン（ｎは整数）の場合はインターレース走査特有の画像妨害（インターレース妨害）を除去可能であるが、±０．５ラインの場合はインターレース妨害の除去が不能であるため、画質を改善することができなかった。そのため、例えば風の影響でカメラが上下に揺れたときに見られるような垂直方向に微妙に動いた画像では、インターレース妨害が目立ち、画質が劣化するという課題があった。
【０００５】
そこで、本発明は上記課題を解決するためになされたもので、横エッジ画像の動きが垂直方向に±０．５ラインの場合についても適切な補間信号を生成できて画質を向上させることができる順次走査変換装置および順次走査変換方法並びに映像表示装置を提供することを目的とする。
【課題を解決するための手段】
【０００６】
上記課題を解決するため、本発明は、入力映像信号の現フィールド信号、現フィールド信号よりも１フィールド前の１フィールド遅延信号および現フィールド信号よりも１フィールド後の１フィールド後信号を用いて第１の動きベクトルを検出する第１の動きベクトル検出手段と、１フィールド遅延信号または１フィールド後信号を用いて現フィールド信号についての動き方向性を判定する動き方向性判定手段と、１フィールド遅延信号よりも１フィールド前の２フィールド遅延信号および１フィールド後信号よりも１フィールド後の２フィールド後信号を用いて動きベクトルを検出し、動き方向性判定手段により判定される動き方向性と同じ方向性を備えた第２の動きベクトルを出力する第２の動きベクトル検出手段と、第１の動きベクトル検出手段と第２の動きベクトル検出手段の検出結果に応じて現フィールド信号に補間される補間信号を生成する補間信号生成手段とを有することを特徴とする順次走査変換装置を特徴とする。
【０００７】
また、本発明は、入力映像信号の現フィールド信号、現フィールド信号よりも１フィールド前の１フィールド遅延信号および現フィールド信号よりも１フィールド後の１フィールド後信号を用いて第１の動きベクトルを検出する第１の動きベクトル検出を行い、１フィールド遅延信号または１フィールド後信号を用いて現フィールド信号についての動き方向性を判定する動き方向性判定を行い、１フィールド遅延信号よりも１フィールド前の２フィールド遅延信号および１フィールド後信号よりも１フィールド後の２フィールド後信号を用いて動きベクトルを検出し、動き方向性判定により判定される動き方向性と同じ方向性を備えた第２の動きベクトルを出力する第２の動きベクトル検出を行い、第１の動きベクトル検出と第２の動きベクトル検出の検出結果を用いて現フィールド信号に補間される補間信号を生成する補間信号生成を行うことを特徴とする順次走査変換方法を提供する。
【０００８】
また、本発明は、順次走査変換信号を出力する順次走査変換手段と、その順次走査変換手段から出力される順次走査変換信号を用いて映像を表示する映像表示手段とを有する映像表示装置であって、順次走査変換手段は、入力映像信号の現フィールド信号、現フィールド信号よりも１フィールド前の１フィールド遅延信号および現フィールド信号よりも１フィールド後の１フィールド後信号を用いて第１の動きベクトルを検出する第１の動きベクトル検出手段と、１フィールド遅延信号または１フィールド後信号を用いて現フィールド信号についての動き方向性を判定する動き方向性判定手段と、１フィールド遅延信号よりも１フィールド前の２フィールド遅延信号および１フィールド後信号よりも１フィールド後の２フィールド後信号を用いて動きベクトルを検出し、動き方向性判定手段により判定される動き方向性と同じ方向性を備えた第２の動きベクトルを出力する第２の動きベクトル検出手段と、第１の動きベクトル検出手段と第２の動きベクトル検出手段の検出結果に応じて現フィールド信号に補間される補間信号を生成する補間信号生成手段とを有する映像表示装置を提供する。
【発明の効果】
【０００９】
以上詳述したように、本発明によれば、横エッジ画像の動きが垂直方向に±０．５ラインの場合についても適切な補間信号を生成できて画質を向上させることができる順次走査変換装置および順次走査変換方法並びに映像表示装置が得られる。
【発明を実施するための最良の形態】
【００１０】
以下、本発明の実施の形態の一例について説明する。なお、同一要素には同一符号を用い、重複する説明は省略する。
【００１１】
図１は、本発明の実施の形態に係る順次走査変換装置２を備えた映像表示装置１の構成を示すブロック図である。図１に示すように、映像表示装置１は順次走査変換装置２と、液晶駆動回路２５と、液晶表示パネル３０とを有している。この映像表示装置１は、順次走査変換装置２が順次走査変換信号Ｐを出力する順次走査変換信号出力手段と、順次走査変換信号Ｐを用いて液晶表示パネル３０に映像を表示させる表示制御手段としての機能を有している。また、液晶駆動回路２５が順次走査変換信号Ｐを用いて液晶表示パネル３０による映像表示に必要な映像信号を生成し、その映像信号を用いて液晶表示パネル３０が映像を表示するようになっている。
【００１２】
順次走査変換装置２には、飛越し走査の入力映像信号である現フィールド信号Ｓ３と、現フィールド信号Ｓ３を１フィールド遅延させた現フィールド信号Ｓ３よりも１フィールド前の１フィールド遅延信号Ｓ４と、さらに１フィールド遅延させた１フィールド遅延信号Ｓ３よりも１フィールド前の２フィールド遅延信号Ｓ５とが入力される。また、順次走査変換装置２には、現フィールド信号Ｓ３よりも１フィールド後の１フィールド後信号Ｓ２と、１フィールド後信号Ｓ２よりも１フィールド後の２フィールド後信号Ｓ１も入力される。
【００１３】
順次走査変換装置２は、動画系補間信号生成回路６と、静画系補間信号生成回路７と、動き適応補間信号混合回路８と、ライン整列回路９とを有している。
【００１４】
動画系補間信号生成回路６は動画系補間信号Ｖｇを生成する。動画系補間信号生成回路６は、第１の動きベクトル検出回路１５と、補間信号生成回路１６と、フィールド内補間信号生成回路１７と、動画系補間信号混合回路１８と、第２の動きベクトル検出回路１９と、動き方向性判定回路２０とを有している。
【００１５】
第１の動きベクトル検出回路１５は、１フィールド後信号Ｓ２、現フィールド信号Ｓ３および１フィールド遅延信号Ｓ４を入力して第１の動きベクトルＶ１を検出し、検出した第１の動きベクトルＶ１を補間信号生成回路１６に出力する。
【００１６】
補間信号生成回路１６は第１の動きベクトル検出回路１５により検出される第１の動きベクトルＶ１と、第２の動きベクトル検出回路１６により検出される後述する第２の動きベクトルＶ２とを用いて動き補償による補間信号ＳＰ１を生成する。補間信号生成回路１６は、第１の動きベクトル検出回路１５が１フィールド後信号Ｓ２と１フィールド遅延信号Ｓ４より検出した第１の動きベクトルＶ１および第２の動きベクトル検出回路１９が２フィールド後信号Ｓ１と２フィールド遅延信号Ｓ５より検出した第２の動きベクトルＶ２に応じて現フィールド信号Ｓ３のライン間に補間される動き補償による補間信号ＳＰ１を生成する。
【００１７】
フィールド内補間信号生成回路１７は、フィールド内補間により、現フィールド信号Ｓ３に補間されるフィールド内補間信号ＳＰ３を生成する。この場合、フィールド内補間信号生成回路１７は、上下の隣接する走査線からフィールド内補間信号ＳＰ３を生成する。
【００１８】
動画系補間信号混合回路１８は、動き補償による補間信号ＳＰ１とフィールド内補間信号ＳＰ３とを混合して動画系補間信号Ｖｇを生成し、生成した動画系補間信号Ｖｇを動き適応補間信号混合回路８に出力する。
【００１９】
第２の動きベクトル検出回路１９は、２フィールド後信号Ｓ１と、２フィールド遅延信号Ｓ５を入力して第２の動きベクトルＶ２を検出し、検出した動きベクトルＶ２を補間信号生成回路１６に出力する。第２の動きベクトル検出回路１９は、動き方向性判定信号ｍｄを動き方向性判定回路２０から入力し、見つけた動きベクトル候補のうち、動き方向性判定信号ｍｄと一致する方向性を備えた動きベクトル候補を第２の動きベクトルＶ２として補間信号生成回路１６に出力する（詳しくは後述する）。
【００２０】
動き方向性判定回路２０は、１フィールド後信号Ｓ２、現フィールド信号Ｓ３および１フィールド遅延信号Ｓ４を入力して、現フィールド信号Ｓ３についての動き方向性を判定し、判定結果を示す動き方向性判定信号ｍｄを第２の動きベクトル検出回路１９に出力する。
【００２１】
静画系補間信号生成回路７は、１フィールド後信号Ｓ２または１フィールド遅延信号Ｓ４から現フィールド信号Ｓ３のライン間に補間される静画系補間信号Ｓｇを生成する。この静画系補間信号生成回路７では、１フィールド後信号Ｓ２および１フィールド遅延信号Ｓ４を入力し、そのそれぞれの同じ位置の走査線を用いて静画系補間信号Ｓｇを生成する。なお、静画系補間信号生成回路７では、画像が静止しているときは、１フィールド後信号Ｓ２または１フィールド遅延信号Ｓ４の直接ラインをそのまま使用することもできる。
【００２２】
動き適応補間信号混合回路８は、動画系補間信号Ｖｇと静画系補間信号Ｓｇとを混合し、混合補間信号Ｃｇをライン整列回路９に出力する。
【００２３】
ライン整列回路９は動き適応補間信号混合回路８が混合した混合補間信号Ｃｇと、直接信号である１フィールド後信号Ｓ２（または１フィールド遅延信号Ｓ４）とを用いて順次走査変換信号Ｐを生成し、生成した順次走査変換信号Ｐを液晶駆動回路２５に出力する。
【００２４】
次に、順次走査変換装置２の特徴とする動作内容について説明する。順次走査変換装置２に、２フィールド後信号Ｓ１、１フィールド後信号Ｓ２、現フィールド信号Ｓ３、１フィールド遅延信号Ｓ４および２フィールド遅延信号Ｓ５が入力すると、第２の動きベクトル検出回路１９が２フィールド後信号Ｓ１と、２フィールド遅延信号Ｓ５を用いて第２の動きベクトルＶ２を検出する。また、第１の動きベクトル検出回路１５が１フィールド後信号Ｓ２と、現フィールド信号Ｓ３および１フィールド遅延信号Ｓ４を用いて第１の動きベクトルＶ１を検出する。
【００２５】
このとき、順次走査変換装置２の入力映像信号が図２のようになっていたとする。図２は２フィールド後信号Ｓ１（＋２）、１フィールド後信号Ｓ２（＋１）、現フィールド信号Ｓ３（０）、１フィールド遅延信号Ｓ４（−１）および２フィールド遅延信号Ｓ５（−２）をそれぞれ構成する画素ブロックを示し、これら５つの信号を左側から時間軸ｔに沿って時間順に並べて示した図である。
【００２６】
２フィールド後信号Ｓ１，現フィールド信号Ｓ３，２フィールド遅延信号Ｓ５はそれぞれ垂直方向ｙに沿って６つの画素ブロックＰ１ａ〜Ｐ１ｆ、Ｐ３ａ〜Ｐ３ｆ、Ｐ５ａ〜Ｐ５ｆを有している。また、１フィールド後信号Ｓ２、１フィールド遅延信号Ｓ４は垂直方向ｙに沿って７つの画素ブロックＰ２ａ〜Ｐ２ｇ、Ｐ４ａ〜Ｐ４ｇを有している。
【００２７】
すると、第１の動きベクトル検出回路１５は１フィールド後信号Ｓ２と１フィールド遅延信号Ｓ４を用いて第１の動きベクトルＶ１を検出するため、図２および図３に示す補間画素ブロックＰｃを中心として、例えば１フィールド後信号Ｓ２と１フィールド遅延信号Ｓ４の方向ラインｄ１、ｄ２、ｄ３、ｄ４、ｄ５に沿って各画素ブロックを比較し、相関の最も高い画素ブロックを検出し、その検出結果に応じて第１の動きベクトルＶ１を検出する。
【００２８】
この場合、第１の動きベクトル検出回路１５では、１フレーム（２フィールド）間の画素ブロックから動きベクトルを検出するため、図４に示すような横エッジ１０１ａ、１０１ｂを備えた横エッジ画像１０１が垂直方向に動いているときは、その垂直方向への動きが２ｎ（ｎは整数）の場合だけ動きベクトルを検出することができる。なお、方向ラインｄ１、ｄ２、ｄ３、ｄ４、ｄ５はそれぞれ“＋４”、“＋２”、“０”、“−２”、“−４”の方向性を有している。“＋４”とは、１フレーム当たり４画素ブロック分上方向に移動したことを意味し、“−４”とは、１フレーム当たり４画素ブロック分下方向に移動したことを意味している。
【００２９】
また、第２の動きベクトル検出回路１９は２フィールド後信号Ｓ１と２フィールド遅延信号Ｓ５（図２における点線が囲まれた部分）を用いて第２の動きベクトルＶ２を検出するため、補間画素ブロックＰｃを中心として、例えば２フィールド遅延信号Ｓ５と２フィールド後信号Ｓ１の方向ラインｄ１０、ｄ１１に沿って各画素ブロックを比較し、相関の最も高い画素ブロックを検出する。この場合、第２の動きベクトル検出回路１９では、２フレーム（４フィールド）間の画素ブロックから動きベクトルを検出するため、横エッジ画像１０１の垂直方向への動きが０．５ｎ（ｎは整数）の場合についても動きベクトルを検出することができる。なお、方向ラインｄ１０、ｄ１１はそれぞれ“＋０．５”、“−０．５”の方向性を有している。“＋０．５”とは、２フレーム当たり１画素ブロック分上方向に移動したことを意味し、“−０．５”は２フレーム当たり１画素ブロック分下方向に移動したことを意味している。
【００３０】
以上のように、第１の動きベクトル検出回路１５に加えて第２の動きベクトル検出回路１９を用いて動きベクトルを検出することにより、第１の動きベクトル検出回路１５だけでは検出できなかった方向ラインｄ１０、ｄ１１に沿った方向の動きベクトルを検出できるようになる。
【００３１】
ところで、入力映像信号の中には、例えば風の影響でカメラが上下に揺れたときに見られるような垂直方向への微妙な動きのある横エッジ画像（以下「微動画像」という）が含まれていることがある。このような微動画像は画像自体の動きはあるものの、ほとんど静止しているように見えるほどその動きは緩慢である。
【００３２】
そして、入力映像信号の中に動きの方向性が“＋０．５”や“−０．５”といった“＋２”や“−２”に至らない程度の微動画像が含まれていても、第１の動きベクトル検出回路１５では、これを検出することができなかった。そのため、第１の動きベクトル検出回路１５だけでは、微動画像を含むインターレース方式の入力映像信号を順次走査方式の映像信号に変換すると、インターレース妨害が目立ち、画質が劣化するおそれがあった。
【００３３】
しかしながら、順次走査変換装置２では、第２の動きベクトル検出回路１９を設け、方向ラインｄ１０、ｄ１１などに沿った画素ブロックの比較によって動きベクトルを検出できるようにしているので、入力映像信号の中に微動画像のような垂直方向の動きが“＋２”や“−２”に至らない動きの方向性が“＋０．５”や“−０．５”の動きの緩慢な画像が含まれていても、これを検出して適切な補間信号を生成でき、画質を向上させることができるようになっている。
【００３４】
一方、順次走査変換装置２では、第２の動きベクトル検出回路１９に加えて動き方向性判定回路２０を設けている。
【００３５】
第２の動きベクトル検出回路１９では、２フィールド後信号Ｓ１と２フィールド遅延信号Ｓ５を用いて第２の動きベクトルＶ２を検出するが、２フィールド後信号Ｓ１と２フィールド遅延信号Ｓ５とは時間的に離れた信号である。そのため、２フィールド後信号Ｓ１と２フィールド遅延信号Ｓ５とから検出される動きベクトルは本来検出されるべきものでない可能性がある。
【００３６】
例えば、図２における画素ブロックＰ５ｃと、画素ブロックＰ１ｄとの相関が高いときは、第２の動きベクトル検出回路１９が画素ブロックＰ５ｃと、画素ブロックＰ１ｄとから得られる動きベクトルを動きベクトル候補とする。画素ブロックＰ５ｃと、画素ブロックＰ１ｄとから検出される動きベクトル候補が本来検出されるべき正しい動きベクトルであるときは、その動きベクトル候補の方向性と、時間的に近い現フィールド信号Ｓ３および１フィールド後信号Ｓ２か、現フィールド信号Ｓ３および１フィールド遅延信号Ｓ４から検出される動きベクトルの方向性とが一致していると考えられる。これは、時間的に離れた信号から検出された動きベクトル候補が正しい動きベクトルであるなら、その間に位置する時間的に近いところの画素ブロックも同様の動きをしていると考えられるからである。
【００３７】
したがって、例えば、画素ブロックＰ５ｃと、画素ブロックＰ１ｄとから得られる動きベクトル候補の方向性は“＋０．５”であるが、この動きベクトル候補が正しい動きベクトルであるなら、例えば、画素ブロックＰ３ｄと画素ブロックＰ２ｅや、画素ブロックＰ３ｄと画素ブロックＰ４ｄのように、現フィールド信号Ｓ３と１フィールド後信号Ｓ２を用いたフィールド間、現フィールド信号Ｓ３と１フィールド遅延信号Ｓ４を用いたフィールド間という時間的に近いところの画素ブロック同士から、この動きベクトル候補と方向性の一致する動きベクトルが見つかるはずである。
【００３８】
ということは、画素ブロックＰ３ｄと画素ブロックＰ２ｅや、画素ブロックＰ３ｄと画素ブロックＰ４ｄから得られる動きベクトルの方向性はいずれも“＋１”であり、動きベクトル候補と方向性が一致しているため、これらの画素ブロック同士の相関が高ければ、動きベクトル候補は本来検出されるべき正しい動きベクトルということになる。動きベクトルの方向性が一致する場合とは、それぞれ方向性の符号が等しく、かつそれぞれが一定の範囲に納まる場合である（詳しくは後述する）。
【００３９】
このようなことから、順次走査変換装置２では、動き方向性判定回路２０により、現フィールド信号Ｓ３について、１フィールド後信号Ｓ２を用いたフィールド間の動きベクトルまたは１フィールド遅延信号Ｓ４を用いたフィールド間の動きベクトルの動き方向性を判定して、動き方向性判定信号ｍｄを第２の動きベクトル検出回路１９に出力する。そして、第２の動きベクトル検出回路１９は、見つけた動きベクトル候補の方向性が動き方向性判定信号ｍｄと一致するときに、その動きベクトル候補を第２の動きベクトルＶ２として出力する。こうすることにより、第２の動きベクトル検出回路１９が時間的に離れた信号を用いて動きベクトルを検出する場合の誤判定を排除することができる。
【００４０】
そして、第２の動きベクトル検出回路１９は、動き方向性判定信号ｍｄの示す方向性が“０”〜“＋１”であるとき、方向性が“＋０．５”の動きベクトル候補を方向性が一致するものとして扱いこれを第２の動きベクトルＶ２として出力する。また、第２の動きベクトル検出回路１９は、動き方向性判定信号ｍｄの示す方向性が“−１〜“０”であるとき、方向性が“−０．５”の動きベクトル候補を方向性が一致するとしてとして扱いこれを第２の動きベクトルＶ２として出力する。
【００４１】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００４２】
【図１】本発明の実施の形態に係る順次走査変換装置を備えた映像表示装置の構成を示すブロック図である。
【図２】２フィールド後信号、１フィールド後信号、現フィールド信号、１フィールド遅延信号および２フィールド遅延信号をそれぞれ構成する画素ブロックを示す図である。
【図３】１フィールド後信号、現フィールド信号および１フィールド遅延信号をそれぞれ構成する画素ブロックを示す図である。
【図４】横エッジ画像の一例を示す図である。
【符号の説明】
【００４３】
１…映像表示装置、２…順次走査変換装置、６…動画系補間信号生成回路、７…静画系補間信号生成回路、８…動き適応補間信号混合回路、９…ライン整列回路、１５…第１の動きベクトル検出回路、１６…補間信号生成回路、１７…フィールド内補間信号生成回路、１８…動画系補間信号混合回路、１９…第２の動きベクトル検出回路２０…動き方向性判定回路、３０…液晶表示パネル。
【図１】
2009239713.tif 000003
【図２】
2009239713.tif 000004
【図３】
2009239713.tif 000005
【図４】
2009239713.tif 000006